(57)【要約】【課題】天板から下方への突出を抑えて使用感を良好とし、且つコタツ内を均等に加熱する。【解決手段】コタツの天板の下面に取り付けられるフラットヒータ１は、平板状の４つのヒータ部２，２・・と、そのヒータ部２，２同士を直角に接続する４つのコーナー接続部３，３・・とにより、平面視を正方形のループ状に形成してなり、各ヒータ部２は、金属製のシャーシ板と、そのシャーシ板上に支持されるマイカヒータと、マイカヒータを上方から覆ってシャーシ板に組み付けられる金属製の保護カバー６とから形成されている。【選択図】図１
2012251672.tif 000002
【特許請求の範囲】
【請求項１】
コタツの天板の下面に取り付けられるコタツ用ヒータであって、
面状ヒータを有する平板状の複数のヒータ部と、そのヒータ部同士を直角に接続する複数のコーナー接続部とにより、平面視を正方形又は四角形のループ状に形成したことを特徴とするコタツ用ヒータ。
【請求項２】
前記ヒータ部を、前記天板側に配置されるシャーシ板と、そのシャーシ板上に支持されて上面が発熱面となる面状ヒータと、その面状ヒータを上方から覆って前記シャーシ板に組み付けられる保護カバーとで形成したことを特徴とする請求項１に記載のコタツ用ヒータ。
【請求項３】
前記面状ヒータにマイカヒータを用いたことを特徴とする請求項１又は２に記載のコタツ用ヒータ。
【請求項４】
請求項１乃至３の何れかに記載のコタツ用ヒータを天板の下面に取り付けてなるコタツ。
【発明の詳細な説明】
【技術分野】
【０００１】
本発明は、コタツの天板の下面に取り付けて使用されるコタツ用ヒータと、当該コタツ用ヒータを取り付けたコタツとに関する。
【背景技術】
【０００２】
コタツは、四隅に脚部を取り付けた正方形や長方形の天板の下面中央に、コタツ用ヒータを取り付けてなる（例えば特許文献１参照）。コタツ用ヒータとしては、ハロゲンランプやカーボンヒータ等の発熱体をメッシュ状のカバーで覆うものがよく知られている。
【先行技術文献】
【特許文献】
【０００３】
【特許文献１】特開２００４−３４０４００号公報
【発明の概要】
【発明が解決しようとする課題】
【０００４】
しかし、上記従来のコタツ用ヒータは、天板の下面から下方へ大きく突出するため、天板の下方スペースが狭くなり、使用者の脚が当たったりして煩わしい場合があった。また、ハロゲンランプ等の発熱体は平行に一対設けられたりすることが多いため、輻射熱の放射範囲に偏りが生じ、コタツ内が均等に加熱されない問題もあった。
【０００５】
そこで、本発明は、天板から下方への突出を抑えて使用感が良好となり、且つコタツ内を均等に加熱できて優れた暖房効果も得られるコタツ用ヒータ及びコタツを提供することを目的としたものである。
【課題を解決するための手段】
【０００６】
上記目的を達成するために、請求項１に記載の発明は、コタツの天板の下面に取り付けられるコタツ用ヒータであって、面状ヒータを有する平板状の複数のヒータ部と、そのヒータ部同士を直角に接続する複数のコーナー接続部とにより、平面視を正方形又は四角形のループ状に形成したことを特徴とするものである。
請求項２に記載の発明は、請求項１の構成において、ヒータ部を、天板側に配置されるシャーシ板と、そのシャーシ板上に支持されて上面が発熱面となる面状ヒータと、その面状ヒータを上方から覆ってシャーシ板に組み付けられる保護カバーとで形成したことを特徴とするものである。
請求項３に記載の発明は、請求項１又は２の構成において、面状ヒータにマイカヒータを用いたことを特徴とするものである。
上記目的を達成するために、請求項４に記載の発明は、コタツであって、請求項１乃至３の何れかに記載のコタツ用ヒータを天板の下面に取り付けてなることを特徴とするものである。
【発明の効果】
【０００７】
請求項１及び４に記載の発明によれば、コタツの天板から下方への突出を抑えることができて天板の下方スペースが広くなり、使用感が良好となる。また、コタツ内を均等に加熱できるため、優れた暖房効果も得られる。
請求項２に記載の発明によれば、請求項１の効果に加えて、下方への突出を小さくしても天板への熱伝達を抑えることができ、天板の変形を好適に防止することができる。
請求項３に記載の発明によれば、請求項１又は２の効果に加えて、マイカヒータの採用により、好適な面状ヒータが得られる。
【図面の簡単な説明】
【０００８】
【図１】フラットヒータの説明図で、（Ａ）が平面、（Ｂ）が正面をそれぞれ示す。
【図２】保護カバー及び上カバーを取り外したフラットヒータの説明図で、（Ａ）が平面、（Ｂ）が正面をそれぞれ示す。
【図３】コーナー接続部の内部構造の説明図で、（Ａ）が平面、（Ｂ）が正面をそれぞれ示す。
【図４】マイカヒータの説明図で、（Ａ）が平面、（Ｂ）が正面、（Ｃ）が側面をそれぞれ示す。
【図５】フラットヒータを取り付けたコタツの底面図である。
【図６】変更例のフラットヒータの説明図で、（Ａ）が平面、（Ｂ）が正面をそれぞれ示す。
【図７】保護カバー及び上カバーを取り外した変更例のフラットヒータの説明図で、（Ａ）が平面、（Ｂ）が正面をそれぞれ示す。
【発明を実施するための形態】
【０００９】
以下、本発明の実施の形態を図面に基づいて説明する。
図１は、コタツ用ヒータとしてのフラットヒータを示す説明図で、フラットヒータ１は、各辺に配置される平板状の４つのヒータ部２，２・・と、各角部に配置されてヒータ部２，２同士を直角に接続する４つのコーナー接続部３，３・・とからなり、平面視が正方形のループ状に形成されている。
ヒータ部２は、図２にも示すように、底面側に配置される平面視四角形で金属製のシャーシ板４と、そのシャーシ板４上に支持される面状ヒータとしてのマイカヒータ５と、マイカヒータ５を上方から覆ってシャーシ板４に組み付けられる平面視四角形で金属製の保護カバー６とから形成されている。なお、フラットヒータ１単独では、シャーシ板４側を下方、保護カバー６側を上方として説明する。
【００１０】
シャーシ板４は、図３にも示すように、中央と各角部寄りの４箇所とに、突起７，７・・を突設して、マイカヒータ５を支持可能としている、長手方向の両端には、マイカヒータ５の端部を保持する一対の保持片８，８がそれぞれ形成されている。
マイカヒータ５は、図４に示すように、絶縁板である平面視四角形のマイカ板９の上面で周縁を除く略全体（図４のハッチング部分）に、所定パターンでヒータ線を布線して発熱面１０を形成し、ヒータ線の両端を、マイカ板９の長手方向の両端に設けた端子部１１，１１に接続してなる。隣接するマイカヒータ５，５の端子部１１，１１間にはリード線１２が接続されて、各マイカヒータ５，５・・を直列に接続している。
保護カバー６は、パンチングメタルを倒コ字状に折曲してなり、表面には植毛加工が施されている。
【００１１】
そして、コーナー接続部３は、平面視四角形状の下金具１３と上カバー１４とからなり、下金具１３の端部に隣接する２つのヒータ部２，２の端部を載置して上カバー１４を上方から組み付けてネジ止めすることで、ヒータ部２，２の端部間に連結される。各コーナー接続部３内に、各ヒータ部２の端部が保持されてマイカヒータ５，５間のリード線１２が通過することになる。コーナー接続部３においてヒータ部２，２間を仕切る対角線上には、一対のネジ止め部１５，１５が設けられている。
但し、図１（Ａ）における左下のコーナー接続部３Ａ（他と区別するため符号を３Ａとする）には、隣接するマイカヒータ５，５のリード線１２，１２がそれぞれ接続されて温度ヒューズ等を備えた制御基板１６が設けられて、制御基板１６に接続される電源コード用のコネクタ１７をコーナー接続部３Ａの正面に露出させている。
【００１２】
以上の如く構成されたフラットヒータ１においては、各コーナー接続部３に設けたネジ止め部１５，１５を利用して、図５に示すように、コタツ２０の天板２１の下面中央にネジ止めする。２２はコタツの脚部、２３はコネクタ１７に差し込み接続された電源コードのプラグである。
よって、電源コードに設けられた図示しないスイッチをＯＮ操作すると、フラットヒータ１の各マイカヒータ５，５・・に通電され、発熱面１０，１０・・から輻射熱が放射されてコタツ２０内が暖められる。
【００１３】
ここで、フラットヒータ１は、平面方向の厚みを非常に薄く形成できるので（コーナー接続部３の最大高さで２５ｍｍ、但しコーナー接続部３Ａは４０ｍｍ程度となる）、天板２１への取付状態で、フラットヒータ１が天板２１の下面から突出する量は非常に小さくなる。従って、コタツ２０内の空間を広く確保でき、使用者の脚等にフラットヒータ１が当たるおそれが殆どない。また、各辺に配置された４つのヒータ部２から輻射熱が四方へ均等に放射されるため、コタツ２０内が万遍なく暖められることになる。
【００１４】
このように、上記形態のフラットヒータ１及びコタツ２０によれば、マイカヒータ５を有する平板状の４つのヒータ部２，２・・と、そのヒータ部２，２同士を直角に接続する４つのコーナー接続部３，３・・とにより、平面視を正方形のループ状に形成したことで、コタツ２０の天板２１から下方への突出を抑えることができて天板２１の下方スペースが広くなり、使用感が良好となる。また、コタツ２０内を均等に加熱できるため、優れた暖房効果も得られる。
【００１５】
特にここでは、ヒータ部２を、天板２１側に配置されるシャーシ板４と、そのシャーシ板４上に支持されて上面が発熱面１０となるマイカヒータ５と、そのマイカヒータ５を上方から覆ってシャーシ板４に組み付けられる保護カバー６とで形成したことで、下方への突出を小さくしても天板２１への熱伝達を抑えることができ、天板２１の変形を好適に防止することができる。
また、面状ヒータにマイカヒータ５を用いたことで、比較的高温域までの温度調整が可能となり、好適な面状ヒータが得られる。
【００１６】
なお、上記形態では、４つのヒータ部と４つのコーナー接続部とによって平面視が正方形のループ状としているが、図６，７に示すフラットヒータ１Ａのように、互いに平行な一対の辺を、下金具１９Ａと上カバー１９Ｂとからなる中間接続部１８を介して２つのヒータ部２，２を直線状に接続することで長辺として、平面視が長方形のループ状とすることもできる。この中間接続部１８の長手方向両端にもコタツへのネジ止め部１５，１５が設けられている。このフラットヒータ１Ａは、天板が長方形のコタツに好適に使用できる。
【００１７】
但し、長方形のループ状とする場合、長辺は２つのヒータ部を接続する構造に限らず、３つ以上のヒータ部を接続して形成してもよいし、逆に短辺側よりも寸法の長い１つのヒータ部を用いて長辺に配置してもよい。すなわちヒータ部は全て同じ長さである必要はない。勿論正方形の場合も、各辺を複数のヒータ部を直線状に接続して形成することが可能である。
また、正方形及び長方形の何れにおいても、面状ヒータはマイカヒータに限らず、カーボンヒータを面状に配設したもの等、他の種類の面状ヒータを採用して差し支えない。シャーシ板や保護カバーも同様で、例えば保護カバーはパンチングメタルに代えて金属製のメッシュカバー等を採用することもできる。
【００１８】
その他、コタツの天板への取付形態等も適宜変更可能で、さらには一つのフラットヒータを天板に取り付ける場合に限らず、例えば正方形や長方形のフラットヒータを２つ並べて天板に取り付けるコタツも考えられる。
【符号の説明】
【００１９】
１，１Ａ・・フラットヒータ、２・・ヒータ部、３，３Ａ・・コーナー接続部、４・・シャーシ板、５・・マイカヒータ、６・・保護カバー、９・・マイカ板、１０・・発熱面、１５・・ネジ止め部、１６・・制御基板、１７・・コネクタ、２０・・コタツ、２１・・天板。
【図１】
2012251672.tif 000003
【図２】
2012251672.tif 000004
【図３】
2012251672.tif 000005
【図４】
2012251672.tif 000006
【図５】
2012251672.tif 000007
【図６】
2012251672.tif 000008
【図７】
2012251672.tif 000009
【手続補正書】
【提出日】平成24年4月17日(2012.4.17)
【手続補正１】
【補正対象書類名】特許請求の範囲
【補正対象項目名】請求項１
【補正方法】変更
【補正の内容】
【請求項１】
コタツの天板の下面に取り付けられるコタツ用ヒータであって、
面状ヒータを有する平板状の複数のヒータ部と、平面視四角形状の下金具と上カバーとからなり前記ヒータ部同士を直角に接続する複数のコーナー接続部とにより、平面視を正方形又は四角形のループ状に形成したことを特徴とするコタツ用ヒータ。
【手続補正２】
【補正対象書類名】明細書
【補正対象項目名】０００６
【補正方法】変更
【補正の内容】
【０００６】
上記目的を達成するために、請求項１に記載の発明は、コタツの天板の下面に取り付けられるコタツ用ヒータであって、面状ヒータを有する平板状の複数のヒータ部と、平面視四角形状の下金具と上カバーとからなりヒータ部同士を直角に接続する複数のコーナー接続部とにより、平面視を正方形又は四角形のループ状に形成したことを特徴とするものである。
請求項２に記載の発明は、請求項１の構成において、ヒータ部を、天板側に配置されるシャーシ板と、そのシャーシ板上に支持されて上面が発熱面となる面状ヒータと、その面状ヒータを上方から覆ってシャーシ板に組み付けられる保護カバーとで形成したことを特徴とするものである。
請求項３に記載の発明は、請求項１又は２の構成において、面状ヒータにマイカヒータを用いたことを特徴とするものである。
上記目的を達成するために、請求項４に記載の発明は、コタツであって、請求項１乃至３の何れかに記載のコタツ用ヒータを天板の下面に取り付けてなることを特徴とするものである。